(57)【要約】【課題】視聴予約した番組が視聴時に受信不可やバッテリー不足で、視聴できなくなるという移動体特有の課題を有している。【解決手段】移動体用ディジタル受信装置は、ユーザー操作手段の操作を検出する操作検出手段１１８と、放送の受信状態を検出する受信状態検出手段１０５と、時間を計るタイマー１０４と、複数の表示信号を合成する表示合成手段１１５と、複数の音声入力から1つの音声出力を選択する音声切替手段１１６と、バッテリーの残りの容量を検出するバッテリー容量検出手段１０３と、電子メールの送受信をおこなう電子メール処理手段１１４と、録画機器の外部からのコマンドを作成・解析する録画コマンド作成・解析手段１０８とを備える。【選択図】図１
2006238280.tif 000002
【特許請求の範囲】
【請求項１】
ユーザー操作手段の操作を検出する操作検出手段と、放送の受信状態を検出する受信状態検出手段と、時間を計るタイマーと、複数の表示信号を合成する表示合成手段と、複数の音声入力から1つの音声出力を選択する音声切替手段とを備えることを特徴とする移動体用ディジタル受信装置。
【請求項２】
バッテリーの残りの容量を検出するバッテリー容量検出手段とを備えることを特徴とする請求項１記載の移動体用ディジタル受信装置。
【請求項３】
電子メールの送受信をおこなう電子メール処理手段と、録画機器の外部からのコマンドを作成・解析する録画コマンド作成・解析手段とを備えることを特徴とする請求項１または請求項２のいずれかに記載の移動体用ディジタル受信装置。
【請求項４】
視聴番組の予約情報データを格納するデータ記憶手段と、予約情報データに、各予約番組に対し処理情報データを備えることを特徴とする請求項１乃至請求項３のいずれかに記載の移動体用ディジタル受信装置。
【発明の詳細な説明】
【技術分野】
【０００１】
本発明は、放送を受信する移動体用ディジタル放送受信装置に関するものである。
【背景技術】
【０００２】
現在、携帯電話や車載用のテレビ等の移動体用ディジタル放送受信装置によってディジタルテレビ放送を受信できる技術が開発されている。
【０００３】
外出している時間に見たい番組があり、この番組を見逃さないために、録画機能を搭載し、録画前に受信状態を検出し録画可能か判断し録画不可の事態を報知する携帯テレビジョン受信機の提案がされている。
【特許文献１】特開２００４−２００９７８号公報
【発明の開示】
【発明が解決しようとする課題】
【０００４】
特許文献記載の発明では、録画機能が必要であり、番組が放送される時間に視聴のみを希望するユーザーには、録画再生機能は、機能過剰になる。また、録画可能なメディアの空き容量の問題も発生する可能性がある。
そこで、本発明は、上記課題を解決するためのものであり、番組が放送される時間に視聴する録画機能を除き、見たい番組を視聴予約し視聴するまでの間に受信可能性を確認することができる。また、本発明は、移動体用ディジタル受信装置が、使用されているときに、できるだけ、受信状態の検証も同時におこなって、消費電力を軽減するという上記課題を解決することだけでは、生じ得ない特有の効果を有する。
【課題を解決するための手段】
【０００５】
本発明は上記課題を解決するものであって、ユーザー操作手段の操作を検出する操作検出手段と、放送の受信状態を検出する受信状態検出手段と、時間を計るタイマーと、複数の表示信号を合成する表示合成手段と、複数の音声入力から1つの音声出力を選択する音声切替手段とを備えることを特徴とする移動体用ディジタル受信装置である。
これにより、視聴予約した番組のチャンネルが受信可能か事前に確認し、ユーザーに伝えることができる。
【発明の効果】
【０００６】
本発明の移動体用ディジタル放送受信装置により、予約した見たい番組が受信不可になりそうな場合は、見られなくなることを事前に察知して、ユーザーに知らせ、対応を促すことができる。
【発明を実施するための最良の形態】
【０００７】
（実施例１）
図１を用いて、実施例１の移動体用ディジタル放送受信装置の構成を示す。
アンテナ１０１は、ＲＦ信号を送受信する。テレビ放送の受信と携帯電話の送受信をおこなう。バッテリー１０２は、各手段に電気を供給する。バッテリー容量検出手段１０３は、前記バッテリーの充電残量を検出する。タイマー１０４は、時間を計る。受信状態検出手段１０５は、指定したチャンネルから、正常に放送が受信できるかを検出する。テレビ受信手段１０６は、アンテナ１０１で受信したテレビ信号を入力し、チャンネル選択を行いそのチャンネルのＴＳをテレビ信号処理手段１１２に出力する。携帯電話送受信手段１０７は、アンテナ１０１を介して携帯電話の送受信をおこなう。録画コマンド作成・解析手段１０８は、録画機のコマンドを作成し、レスポンスを解析する。プログラム記憶手段１０９は、移動体用ディジタル放送受信装置で動作するプログラムを格納する。データ記憶手段１１０は、番組予約のデータなどを格納する。制御手段１１１は、各手段を制御する。テレビ信号処理手段１１２は、ＴＳを入力として、映像信号や音声信号に変換し出力する。電話信号処理手段１１３は、携帯電話の信号を音声・データへ変換、音声・データを携帯電話の信号に変換する。電子メール処理手段１１４は、電話信号処理手段１１３を介して電子メールの送受信、メール作成をおこなう。表示合成手段１１５は、複数の表示信号を合成し、表示手段１１９に送る。音声切替手段１１６は、複数の音声出力を入力とし、1つを選択して、音声出力手段１２０に送る。ユーザー操作手段１１７は、ユーザーが、操作入力をする。操作検出手段１１８は、ユーザー操作が発生したかどうかを検出する。表示手段１１９は、表示信号を表示する。音声出力手段１２０は、音声出力信号を受けて、音声を出力する。音声入力手段１２１は、音声を入力し、音声信号に変換して電話信号処理手段１１３に渡す。
【０００８】
ユーザーは、ユーザー操作手段１１７で、番組予約をおこなう。図６が、番組予約を行う場合の番組予約情報データの例である。チャンネル、開始時間、終了時間以外の処理情報データを設定するようにしている。これにより、ユーザーの希望にあった処理ができる。図４，５により、受信番組チェックのフローを説明する。
【０００９】
図４において、移動体用ディジタル放送受信装置の蓋体が開かれたときが、装置が使用されているときなので、蓋体が開かれ（ステップ：Ｓ４００）、図６で指定された３０分以内（Ｓ４０１）ならば、予約チャネルの受信が可能かテレビ受信手段１０６で選局し受信状態検出手段１０５でチェックする。受信可能であれば、予約番組の開始時間と番組名とチャンネルを表示合成手段１１５に送る（Ｓ４０２）。
【００１０】
表示合成手段１１５では、他の表示信号と合成し、表示手段１１９に表示する（Ｓ４０３）。受信不可の場合は、表示合成手段１１５に開始時間と番組名とチャンネルが受信不可のメッセージを送る（Ｓ４０６）。表示合成手段１１５では、他の表示信号と合成し、表示手段１１９に表示する。受信可能な場合、５分間隔で受信チェックをおこなう（Ｓ４０４）。蓋体が閉じれば終わる（Ｓ４０５）。
【００１１】
図５において、図６で５分前と指定した場合は、予約番組開始５分（Ｓ５００）に、蓋体が閉じられていれば、音を鳴らすか、振動する（Ｓ５０１）。図６で六甲おろしが指定されているため、データ記憶手段１１０に格納された六甲おろしの曲のデータが読み出され、音声出力から、出力される。この曲で、ユーザーが蓋体を開けば、図４のフォローが実行される。
【００１２】
本願発明の移動体用ディジタル放送受信装置は、ユーザー操作手段の操作を検出する操作検出手段と、放送の受信状態を検出する受信状態検出手段と、時間を計るタイマーと、複数の表示信号を合成する表示合成手段と、複数の音声入力から1つの音声出力を選択する音声切替手段とを備える。
【００１３】
以上の構成により、見たい番組を視聴予約し視聴するまでの間に受信可能性を確認することができる。また、本発明は、移動体用ディジタル受信装置が、使用されているときに、できるだけ、受信状態の検証も同時におこなって、消費電力を軽減することができる。
【００１４】
次に、予約番組バッテリーチェックについて、図２、図３により、そのフローを説明する。予約番組のバッテリーチェックは、予約した番組視聴が、バッテリー切れのために、不可にならないためのものである。
【００１５】
図２において、一旦、番組予約をすると、蓋体が開けられるごとに、予約番組のバッテリーチェックをおこなう（Ｓ２００）（Ｓ２０１）。図６で１０分としていしているので、連続使用１０分ごとに、予約番組のバッテリーチェックをおこなう（Ｓ２０２）。蓋体が閉じられたら終了する（Ｓ２０３）。
【００１６】
図３において、予約番組のバッテリーチェックの詳細を説明する。現在のバッテリー残量をバッテリー容量検出手段で検出する（Ｓ３００）。時間あたりの視聴による消費電力のデータを継続的に収集し、その値をデータ記憶手段１１０に格納しておく。時間あたりの視聴による消費電力のデータは、データ記憶手段１１０から取得する（Ｓ３０１）。予約番組の時間の長さと視聴による消費電力のデータから、予約番組の消費電力を計算する（Ｓ３０２）。現在のバッテリー残量と予約番組の消費電力の計算値を比較してバッテリー残量を予想し（Ｓ３０３）、バッテリー残量が足りなければ、制御手段１１１はバッテリーの容量不足のメッセージを表示合成手段１１５におくり（Ｓ３０４）、表示合成手段１１５は、他の表示信号と合成して表示手段１１９に送る。また、バッテリー残量が足りていれば、そのまま終わる。
【００１７】
以上の構成により、見たい番組を視聴予約し視聴するまでの間にバッテリー不足を確認することができる。また、移動体用ディジタル受信装置が、使用されているときに、できるだけ、受信状態の検証も同時におこなって、消費電力を軽減することができる。
【００１８】
次に図６の録画の項目の「行う」、「視聴時不要」について説明する。「行う」とは、録画をおこなうということである。図６のデータをもとに、録画コマンド作成・解析手段１０８で、録画コマンド作成を作成し、電子メール処理手順１１４で、前記録画コマンドを録画宛のメールにのせて、携帯電話で、遠隔の電子メール対応の録画機にメールを送る。
【００１９】
録画機は、このメール受けて、録画予約を行う。予約がうまく完了したかどうか、メールで、レスポンスを返す。帰ってきたレスポンスの内容を録画コマンド作成・解析手段１０８で解析し、結果を表示処理手段で、表示する。
【００２０】
スポーツのライブ放送などは、見落とさないために録画もし、ライブでも見るということがある。また、「視聴時不要」は、視聴できれば、録画は、不要ということである。ただ、視聴ができるかどうかは、直前にならないとわからない。また、そのときに電子メール遅れる状態にあるかどうかもかわらない。そのため、この設定がされるとまず、録画予約のメールを送る。メールが送られなければ、蓋体が開いたときに再送を試みる。実際に予約番組の視聴がはじまったら、録画中止のメールを送る。以上の構成により、見たい番組を極力見落とすことをなくすことができる。
【産業上の利用可能性】
【００２１】
本発明によって、予約した見たい番組が視聴できなくなる場合は、見られなくなることを事前に察知して、ユーザーに知らせ、対応を促すことができる移動体用ディジタル放送受信装置を提供できる。
【図面の簡単な説明】
【００２２】
【図１】本発明の一実施例である移動体用ディジタル放送受信装置の構成図
【図２】同移動体用ディジタル放送受信装置の予約番組のバッテリーチェックの一例のフローチャート
【図３】同移動体用ディジタル放送受信装置の予約番組のバッテリーチェック他の例のフローチャート
【図４】同移動体用ディジタル放送受信装置の予約番組受信チェックの一例のフローチャート
【図５】同移動体用ディジタル放送受信装置の予約番組受信チェックの他の例のフローチャート
【図６】本発明の実施例１記載の移動体用ディジタル放送受信装置の番組予約情報データの表示例を示す図
【符号の説明】
【００２３】
１０１    アンテナ
１０２    バッテリー
１０３    バッテリー容量検出手段
１０４    タイマー
１０５    受信状態検出手段
１０６    テレビ受信手段
１０７    携帯電話送受信手段
１０８    録画コマンド作成・解析手段
１０９    プログラム記憶手段
１１０    データ記憶手段
１１１    制御手段
１１２    テレビ信号処理手段
１１３    電話信号処理手段
１１４    電子メール処理手段
１１５    表示合成手段
１１６    音声切替手段
１１７    ユーザー操作手段
１１８    操作検出手段
１１９    表示手段
１２０    音声出力手段
１２１    音声入力手段
【図１】
2006238280.tif 000003
【図２】
2006238280.tif 000004
【図３】
2006238280.tif 000005
【図４】
2006238280.tif 000006
【図５】
2006238280.tif 000007
【図６】
2006238280.tif 000008